(57)【要約】      （修正有）【課題】一方から他方に向けて断面積が増加する装着物に外嵌し装着する際、ズレが生じにくく良好な装着感をもたらすサポータを提供する。【解決手段】一方から他方に向けて断面積が増加する装着物に外嵌するサポータ１１であって、一対の第１縁部３３及び第２縁部３５の間に形成される帯状のベルト部３１と、ベルト部３１の一端側と他端側とを連結する連結部５１と、を備え、連結部５１により該一端側と該他端側とを連結したベルト部３１の一主表面が直円錐台の側面に沿うものである。【選択図】図１
0003204043.tif 000002
【実用新案登録請求の範囲】
【請求項１】
一方から他方に向けて断面積が増加する装着物に外嵌するサポータであって、
一対の第１縁部及び第２縁部の間に形成される帯状のベルト部と、ベルト部の一端側と他端側とを連結する連結部と、を備え、
連結部により該一端側と該他端側とを連結したベルト部の一主表面が直円錐台の側面に沿うものである、サポータ。
【請求項２】
連結部が、ベルト部の一端側に取り付けられベルト部の他端側を貫入する他端側貫入穴を有する貫通部材と、他端側貫入穴に貫入されたベルト部が他端側貫入穴から抜ける方向へ移動することを制限する他端側移動制限部と、を有してなり、
他端側移動制限部が、他端側貫入穴に貫入されたベルト部の他端側貫入穴を通過した他端側通過部分と、他端側貫入穴に貫入されたベルト部の他端側貫入穴を通過していない他端側未通過部分と、を係脱可能に係止するものである、請求項１に記載のサポータ。
【請求項３】
他端側移動制限部は、面ファスナーの互いに係合しうる一方係合部及び他方係合部のうち他端側通過部分に配設される一方係合部と、他端側未通過部分に配設される他方係合部と、を含んでなる、請求項２に記載のサポータ。
【請求項４】
他端側移動制限部を構成する前記面ファスナーは雌雄一体型の面ファスナーである、請求項３に記載のサポータ。
【請求項５】
ベルト部の他端から一端に向かって所定範囲に存する第１縁部の部分である第１縁部他端部が第１円の円弧に沿っていると共に、ベルト部の他端から一端に向かって所定範囲に存する第２縁部の部分である第２縁部他端部が、第１円と中心を共通にし第１円よりも大きな第２円の円弧に沿っているものである、請求項２乃至４のいずれか１に記載のサポータ。
【請求項６】
連結部が、ベルト部の一端側を貫入する一端側貫入穴を有する前記貫通部材と、一端側貫入穴に貫入されたベルト部が一端側貫入穴から抜ける方向へ移動することを制限する一端側移動制限部と、を有してなり、
一端側移動制限部が、一端側貫入穴に貫入されたベルト部の一端側貫入穴を通過した一端側通過部分と、一端側貫入穴に貫入されたベルト部の一端側貫入穴を通過していない一端側未通過部分と、を係脱可能に係止するものである、請求項５に記載のサポータ。
【請求項７】
一端側移動制限部が、面ファスナーの互いに係合しうる一方係合部及び他方係合部のうち一端側通過部分に配設される一方係合部と、一端側未通過部分に配設される他方係合部と、を含んでなる、請求項６に記載のサポータ。
【請求項８】
一端側移動制限部を構成する前記面ファスナーは雌雄一体型の面ファスナーである、請求項７に記載のサポータ。
【請求項９】
ベルト部の一端から他端に向かって所定範囲に存する第１縁部の部分である第１縁部一端部が前記第１円の円弧に沿っており、ベルト部の一端から他端に向かって所定範囲に存する第２縁部の部分である第２縁部一端部が前記第２円の円弧に沿っているものである、請求項６乃至８のいずれか１に記載のサポータ。
【請求項１０】
第１縁部全体が第１円の円弧に沿っていると共に、第２縁部全体が、第１円と中心を共通にし第１円よりも大きな第２円の円弧に沿っているものである、請求項１乃至９のいずれか１に記載のサポータ。
【請求項１１】
ベルト部のうち少なくとも装着物に面する部分が天然皮革により形成されているものである、請求項１乃至１０のいずれか１に記載のサポータ。
【考案の詳細な説明】
【技術分野】
【０００１】
本考案は、サポータに関し、より詳細には、人体や動物の身体の部分（例えば、人体の手首や足首）である装着物に外嵌して装着されるサポータに関する。
【背景技術】
【０００２】
人体や動物の身体の部分（例えば、人体の手首や足首）である装着物に外嵌して装着されるサポータはこれまで種々のものが提案されてきた（例えば、特許文献１参照）。
特許文献１には、「腕や膝の適所に装着し易く、ズレることなく適所に安定的に圧力を付与し得る腕及び膝用サポータの提供を目的」（特許文献１、発明の詳細な説明中、段落番号０００７）としてなされたもので、具体的には、「弾性材帯状体からなる伸縮部と非伸縮材料からなる非伸縮部とを有するバンド本体と、該バンド本体に設けられ該バンド本体巻き締め時に皮膚に圧接されるパッド部と、該バンド本体に設けられ、該バンド本体を腕又は膝に巻き締め・取り外し自在に取り付ける取付手段とを有し、該パッド部の少なくとも一方側に該非伸縮部が配されたことを特徴とする腕及び膝用サポータ」（特許文献１、発明の詳細な説明中、段落番号０００８）であり、これにより「腕や膝の適所に装着し易く、ズレることなく適所に安定的に圧力を付与し得る腕及び膝用サポータを提供できる」（特許文献１、発明の詳細な説明中、段落番号００２０）ものが開示されている。
【先行技術文献】
【特許文献】
【０００３】
【特許文献１】特開２００３−２３０６５１号公報（例えば、要約、段落番号０００１〜０００８、００２０、第２図等）
【考案の概要】
【考案が解決しようとする課題】
【０００４】
このような特許文献１に開示されたようなサポータは、太さが変化しない装着物（一方から他方に向けて断面積が変化しない装着物。例えば、直円柱形状のようなものは、該直円柱の両底面のうち一方底面が存在する一方から該両底面のうち他方底面が存在する他方に向けて断面積が変化しない。）に外嵌して装着される際には、装着物の外面全体にサポータ内面がうまく接するので、ズレも生じにくく良好な装着感をもたらす。しかしながら、一方から他方に向けて断面積が増加する装着物に外嵌し装着すると、断面積が大きな太い該他方側はサポータ内面がきつく締め付けるが、断面積が小さな細い該一方側にはサポータ内面がうまく接することができないので（該一方側はサポータに遊びをもって内嵌される）、該一方側へのズレが生じやすく装着感を悪い。
そこで、本考案では、一方から他方に向けて断面積が増加する装着物に外嵌し装着する際、ズレが生じにくく良好な装着感をもたらすサポータを提供することを目的とする。
【課題を解決するための手段】
【０００５】
本考案のサポータ（以下、「本サポータ」という。）は、一方から他方に向けて断面積が増加する装着物に外嵌するサポータであって、一対の第１縁部及び第２縁部の間に形成される帯状のベルト部と、ベルト部の一端側と他端側とを連結する連結部と、を備え、連結部により該一端側と該他端側とを連結したベルト部の一主表面が直円錐台の側面に沿うものである、サポータである。
本サポータは、一方から他方に向けて断面積（該一方と該他方とを結ぶ線分に対して垂直な平面による断面の断面積）が増加する装着物に外嵌して装着されるサポータである。一方から他方に向けて断面積が増加する装着物としては、様々なものが挙げられるが、人の手首や足首、動物（例えば、犬、猫、牛、羊、山羊、豚等のような四本脚の動物、鳥）の脚部等を例示することができる。
本サポータは、帯状のベルト部と連結部とを備える。
ベルト部は、帯状の部材から形成され、該帯は一対の第１縁部及び第２縁部の間に形成される（第１縁部及び第２縁部は該帯の連続方向に沿っており、該帯は第１縁部及び第２縁部により規定される。）。
連結部は、ベルト部の一端（ベルト部が形成する帯の両端のうちの一端）側と他端（ベルト部が形成する帯の両端のうちの他端）側とを連結することで、本サポータを環状（両端が開放された中空の筒状）にする。
そして、本サポータにおいては、連結部により一端側と他端側とが連結されたベルト部の一主表面（ベルト部が形成する帯の両主表面のうち装着物に面する面）が直円錐台の側面に沿うものである。
人を含む動物の身体の中で一方から他方に向けて断面積が増加する部分（装着物）は、直円錐台形状に無理なく変形できることが多いので（直円錐台の側面に該装着物の表面が無理なく沿うことができることが多い）、このような一方から他方に向けて断面積が増加する装着物に本サポータを外嵌して装着すれば、ベルト部の該一主表面が装着物の表面に無理なく接したり面することができるので、本サポータはかかる装着物に外嵌し装着するとズレが生じにくく良好な装着感をもたらす。
【０００６】
本サポータにおいては、連結部が、ベルト部の一端側に取り付けられベルト部の他端側を貫入する他端側貫入穴を有する貫通部材と、他端側貫入穴に貫入されたベルト部が他端側貫入穴から抜ける方向へ移動することを制限する他端側移動制限部と、を有してなり、他端側移動制限部が、他端側貫入穴に貫入されたベルト部の他端側貫入穴を通過した他端側通過部分と、他端側貫入穴に貫入されたベルト部の他端側貫入穴を通過していない他端側未通過部分と、を係脱可能に係止するもの（以下、「両部分係止本サポータ」という。）であってもよい。
連結部が貫通部材と他端側移動制限部とを有してなる。貫通部材は、ベルト部の一端側に取り付けられると共に他端側貫入穴を有しており、他端側貫入穴にはベルト部の他端側が貫入される。他端側移動制限部は、他端側貫入穴に貫入されたベルト部が他端側貫入穴から抜ける方向へ移動することを制限する。そしてここでは、他端側貫入穴に貫入されたベルト部の他端側貫入穴を通過した他端側通過部分と、他端側貫入穴に貫入されたベルト部の他端側貫入穴を通過していない他端側未通過部分と、を他端側移動制限部が係脱可能に係止することで、ベルト部が他端側貫入穴から抜ける方向へ移動することを制限する。こうすることで他端側通過部分と他端側未通過部分とを係脱可能に係止することにより他端側移動制限部がベルト部が他端側貫入穴から抜ける方向へ移動することを制限することができるので、ベルト部が他端側貫入穴から抜けることを容易かつ確実に防止できる。なお、他端側通過部分と他端側未通過部分とを係脱可能に係止する他端側移動制限部としては様々なものが採用されうるが、フック、スナップ、面ファスナー、他端側通過部分及び他端側未通過部分の一方の一部が他方に形成された嵌入孔に嵌入される等のものを例示できる。
【０００７】
両部分係止本サポータにおいては、他端側移動制限部は、面ファスナーの互いに係合しうる一方係合部及び他方係合部のうち他端側通過部分に配設される一方係合部と、他端側未通過部分に配設される他方係合部と、を含んでなるもの（以下、「面ファスナー本サポータ」という。）であってもよい。
他端側移動制限部が他端側通過部分と他端側未通過部分とを係脱可能に係止する方法は、前述の如く、種々の方法を採用しうるが、面ファスナーの互いに係合しうる一方係合部及び他方係合部のうち他端側通過部分に配設される一方係合部と、他端側未通過部分に配設される他方係合部と、を含んでなるようにすれば、他端側通過部分と他端側未通過部分とに面ファスナーの係合部を配設するという容易な方法により、確実に他端側通過部分と他端側未通過部分とを係脱可能に係止することができることに加え、他端側通過部分と他端側未通過部分との係止位置を容易に調節できるので、本サポータが形成する環状（両端が開放された中空の筒状）の大きさを装着物にうまく合わせることができる。
【０００８】
面ファスナー本サポータにおいては、他端側移動制限部を構成する前記面ファスナーは雌雄一体型の面ファスナーであってもよい。
こうすることで他端側通過部分と他端側未通過部分との係止位置を広範に調節できるので（例えば、他端側通過部分に配設される一方係合部と、他端側未通過部分に配設される他方係合部と、は互いに係合しなければならないので、ベルト部の他端側のある位置に雌型面ファスナーを配置し、また別の位置に雄型面ファスナーを配置すれば、これら雌型面ファスナーと雄型面ファスナーとが係合する位置でのみ他端側通過部分と他端側未通過部分とが係止できるが、ベルト部の他端側に配置される面ファスナーを雌雄一体型の面ファスナー（雌雄一体型であるので、互いに係合できる。）を配設すれば他端側通過部分と他端側未通過部分とがいずれの位置でも係止できる。）、装着物の大きさが変わっても広範囲に適応することができ、係止位置を細かく調整できる。
【０００９】
両部分係止本サポータにおいては、ベルト部の他端から一端に向かって所定範囲に存する第１縁部の部分である第１縁部他端部が第１円の円弧に沿っていると共に、ベルト部の他端から一端に向かって所定範囲に存する第２縁部の部分である第２縁部他端部が、第１円と中心を共通にし第１円よりも大きな第２円の円弧に沿っているもの（以下、「円弧縁部本サポータ」という。）であってもよい。
こうすることでベルト部の他端から一端に向かって所定範囲に存する第１縁部の部分（第１縁部他端部）及び第２縁部の部分（第２縁部他端部）のいずれも同心円の円弧に沿っているので（第１縁部他端部は第１円の円弧に沿うと共に、第２縁部他端部は、第１円よりも大きな第２円の円弧に沿う。）、連結部により一端側と他端側とが連結されベルト部の前記一主表面（ベルト部の両主表面のうち装着物に面する面）が直円錐台の側面に沿った状態においてベルト部の他端側が他端側貫入穴を円滑に通過できることから他端側通過部分と他端側未通過部分との係止位置を円滑に調節できる。
なお、第１円の半径は、あまり小さいと装着物を本サポータがうまく外嵌できず（細い装着物しか外嵌できない）、あまり大きいと、連結部により一端側と他端側とが連結されたベルト部の前記一主表面（ベルト部の両主表面のうち装着物に面する面）が直円錐台の側面に沿った状態においてベルト部の他端側が他端側貫入穴を円滑に通過できないので、これらを両立する範囲とされてもよく、装着物が人の手首や足首の場合であれば、好ましくは２０ｃｍ以上、より好ましくは３０ｃｍ以上、最も好ましくは４０ｃｍ以上であり、そして好ましくは８０ｃｍ以下、より好ましくは７０ｃｍ以下、最も好ましくは６０ｃｍ以下である。また、第２円の半径は、第１円の半径よりも大きいが、第１円半径との差があまり小さいと強度が不足し（第１円半径と第２円半径との差がベルト部の幅になる。）、第１円半径との差があまり大きいと本サポータが装着物を外嵌する長さが長くなりすぎるので装着が困難になるので、これらを両立する範囲とされてもよく、装着物が人の手首や足首の場合であれば、第１円半径との差は、好ましくは２ｃｍ以上、より好ましくは３ｃｍ以上、最も好ましくは４ｃｍ以上であり、そして好ましくは１３ｃｍ以下、より好ましくは１１ｃｍ以下、最も好ましくは９ｃｍ以下である。
なお、第１円の円弧に沿っている第１縁部他端部がベルト部の他端から一端に向かって存する所定範囲は、特に限定されるものではないが、あまり小さいと他端側通過部分と他端側未通過部分との係止位置の調節範囲が小さくなりすぎるので、該他端と該一端とを結んだ線分の長さＬに対して、第１縁部他端部の該一端側の端から該線分に下ろした垂線の足と、該他端と、の間の距離Ｘ１がなす割合（Ｘ１／Ｌ）は、好ましくは０．２以上、より好ましくは０．３以上、最も好ましくは０．４以上である（無論、１以下である）。第２円の円弧に沿っている第２縁部他端部がベルト部の他端から一端に向かって存する所定範囲は、特に限定されるものではないが、あまり小さいと他端側通過部分と他端側未通過部分との係止位置の調節範囲が小さくなりすぎるので、該他端と該一端とを結んだ線分の長さＬに対して、第２縁部他端部の該一端側の端から該線分に下ろした垂線の足と、該他端と、の間の距離Ｘ２がなす割合（Ｘ２／Ｌ）は、好ましくは０．２以上、より好ましくは０．３以上、最も好ましくは０．４以上である（無論、１以下である）。
【００１０】
円弧縁部本サポータにおいては、連結部が、ベルト部の一端側を貫入する一端側貫入穴を有する前記貫通部材と、一端側貫入穴に貫入されたベルト部が一端側貫入穴から抜ける方向へ移動することを制限する一端側移動制限部と、を有してなり、一端側移動制限部が、一端側貫入穴に貫入されたベルト部の一端側貫入穴を通過した一端側通過部分と、一端側貫入穴に貫入されたベルト部の一端側貫入穴を通過していない一端側未通過部分と、を係脱可能に係止するもの（以下、「一端側両部分係止本サポータ」という。）であってもよい。
連結部が前記貫通部材（前述の如く、ベルト部の一端側に取り付けられると共に他端側貫入穴を有している。）と一端側移動制限部とを有してなる。貫通部材は、ベルト部の一端側に取り付けられ他端側貫入穴を有していると共に、一端側貫入穴を有しており、一端側貫入穴にはベルト部の一端側が貫入される。他端側移動制限部は、他端側貫入穴に貫入されたベルト部が他端側貫入穴から抜ける方向へ移動することを制限すると共に、一端側移動制限部は、一端側貫入穴に貫入されたベルト部が一端側貫入穴から抜ける方向へ移動することを制限する。そして、他端側貫入穴に貫入されたベルト部の他端側貫入穴を通過した他端側通過部分と、他端側貫入穴に貫入されたベルト部の他端側貫入穴を通過していない他端側未通過部分と、を他端側移動制限部が係脱可能に係止することでベルト部が他端側貫入穴から抜ける方向へ移動することを制限すると共に、一端側貫入穴に貫入されたベルト部の一端側貫入穴を通過した一端側通過部分と、一端側貫入穴に貫入されたベルト部の一端側貫入穴を通過していない一端側未通過部分と、を一端側移動制限部が係脱可能に係止することでベルト部が一端側貫入穴から抜ける方向へ移動することを制限する。これにより他端側通過部分と他端側未通過部分とを係脱可能に係止することに加え、一端側通過部分と一端側未通過部分とを係脱可能に係止することにより、本サポータを環状にして装着物に外嵌し装着することができる。
なお、一端側通過部分と一端側未通過部分とを係脱可能に係止する一端側移動制限部としては様々なものが採用されうるが、フック、スナップ、面ファスナー、一端側通過部分及び一端側未通過部分の一方の一部が他方に形成された嵌入孔に嵌入されるもの等を例示できる。
【００１１】
一端側両部分係止本サポータにおいては、一端側移動制限部が、面ファスナーの互いに係合しうる一方係合部及び他方係合部のうち一端側通過部分に配設される一方係合部と、一端側未通過部分に配設される他方係合部と、を含んでなるもの（以下、「一端面ファスナー本サポータ」という。）であってもよい。
一端側移動制限部が一端側通過部分と一端側未通過部分とを係脱可能に係止する方法は、前述の如く、種々のものを採用しうるが、面ファスナーの互いに係合しうる一方係合部及び他方係合部のうち一端側通過部分に配設される一方係合部と、一端側未通過部分に配設される他方係合部と、を含んでなるようにすれば、一端側通過部分と一端側未通過部分とに面ファスナーの係合部を配設するという容易な方法により、確実に一端側通過部分と一端側未通過部分とを係脱可能に係止することができることに加え、一端側通過部分と一端側未通過部分との係止位置を容易に調節できるので、本サポータが形成する環状（両端が開放された中空の筒状）の大きさを装着物にうまく合わせることができる。
【００１２】
一端面ファスナー本サポータにおいては、一端側移動制限部を構成する前記面ファスナーは雌雄一体型の面ファスナーであってもよい。
こうすることで一端側通過部分と一端側未通過部分との係止位置を広範に調節できるので（例えば、一端側通過部分に配設される一方係合部と、一端側未通過部分に配設される他方係合部と、は互いに係合しなければならないので、ベルト部の一端側のある位置に雌型面ファスナーを配置し、また別の位置に雄型面ファスナーを配置すれば、これら雌型面ファスナーと雄型面ファスナーとが係合する位置でのみ一端側通過部分と一端側未通過部分とが係止できるが、ベルト部の一端側全体に雌雄一体型の面ファスナー（雌雄一体型であるので、互いに係合できる。）を配設すれば一端側通過部分と一端側未通過部分とがいずれの位置でも係止できる。）、装着物の大きさが大きく変わっても適応することができるし、係止位置を細かく調整できる。
【００１３】
一端側両部分係止本サポータにおいては、ベルト部の一端から他端に向かって所定範囲に存する第１縁部の部分である第１縁部一端部が前記第１円の円弧に沿っており、ベルト部の一端から他端に向かって所定範囲に存する第２縁部の部分である第２縁部一端部が前記第２円の円弧に沿っているものであってもよい。
こうすることでベルト部の一端から他端に向かって所定範囲に存する第１縁部の部分（第１縁部一端部）及び第２縁部の部分（第２縁部一端部）のいずれも同心円の円弧に沿っているので（第１縁部一端部は第１円の円弧に沿うと共に、第２縁部一端部は、第１円よりも大きな第２円の円弧に沿う。）、連結部により一端側と他端側とが連結されたベルト部の前記一主表面（ベルト部の両主表面のうち装着物に面する面）が直円錐台の側面に沿った状態においてベルト部の一端側が一端側貫入穴を円滑に通過できることから一端側通過部分と一端側未通過部分との係止位置を円滑に調節できる。
なお、第１円の半径及び第２円の半径については、前述した通りである。
また、第１円の円弧に沿っている第１縁部一端部がベルト部の一端から他端に向かって存する所定範囲は、特に限定されるものではないが、あまり小さいと一端側通過部分と一端側未通過部分との係止位置の調節範囲が小さくなりすぎるので、該一端と該他端とを結んだ線分の長さＬに対して、第１縁部一端部の該他端側の端から該線分に下ろした垂線の足と、該一端と、の間の距離Ｙ１がなす割合（Ｙ１／Ｌ）は、好ましくは０．２以上、より好ましくは０．３以上、最も好ましくは０．４以上である（無論、１以下である）。第２円の円弧に沿っている第２縁部一端部がベルト部の一端から他端に向かって存する所定範囲は、特に限定されるものではないが、あまり小さいと一端側通過部分と一端側未通過部分との係止位置の調節範囲が小さくなりすぎるので、該一端と該他端とを結んだ線分の長さＬに対して、第２縁部一端部の該他端側の端から該線分に下ろした垂線の足と、該一端と、の間の距離Ｙ２がなす割合（Ｙ２／Ｌ）は、好ましくは０．２以上、より好ましくは０．３以上、最も好ましくは０．４以上である（無論、１以下である）。なお、前述したベルト部の他端から一端に向かって所定範囲に存する第１縁部の部分である第１縁部他端部が第１円の円弧に沿っていると共に、ベルト部の一端から他端に向かって所定範囲に存する第１縁部の部分である第１縁部一端部が第１円の円弧に沿っているので、（（Ｙ１／Ｌ）＋（Ｘ１／Ｌ））は１以下である。また、ベルト部の他端から一端に向かって所定範囲に存する第２縁部の部分である第２縁部他端部が、第２円の円弧に沿っていると共に、ベルト部の一端から他端に向かって所定範囲に存する第２縁部の部分である第２縁部一端部が、第２円の円弧に沿っているので、（（Ｙ２／Ｌ）＋（Ｘ２／Ｌ））は１以下である。
【００１４】
本サポータにおいては、第１縁部全体が第１円の円弧に沿っていると共に、第２縁部全体が、第１円と中心を共通にし第１円よりも大きな第２円の円弧に沿っているものであってもよい。
こうすることにより平らな帯状のベルト部が、第１円の円弧を第１縁部とし、第１円よりも大きな第２円の円弧を第２縁部とするので、連結部がベルト部の一端側と他端側とを連結した際、容易かつ確実にベルト部の一主表面（ベルト部の両主表面のうち装着物に面する面）が直円錐台の側面に沿うものとすることができる。
また、このようにすれば第１縁部全体が第１円の円弧に沿っていると共に、第２縁部全体が第２円の円弧に沿っているので、貫通部材が有する他端側貫入穴及び一端側貫入穴にベルト部の他端側及び一端側が貫入される場合であれば、連結部により一端側と他端側とが連結されたベルト部の前記一主表面（ベルト部の両主表面のうち装着物に面する面）が直円錐台の側面に沿った状態においてベルト部のいずれの部分も他端側貫入穴及び一端側貫入穴を円滑に通過できることから、他端側通過部分と他端側未通過部分との係止位置を円滑かつ広範に調節できることに加え、一端側通過部分と一端側未通過部分との係止位置を円滑かつ広範に調節できる。
なお、第１円の半径及び第２円の半径は、前述した通りである。
【００１５】
本サポータにおいては、ベルト部のうち少なくとも装着物に面する部分が天然皮革により形成されているものであってもよい。
こうすることで装着物が人の体の一部（例えば手首や足首）である場合、装着物の表面（皮膚）に天然皮革が接触するので、天然皮革のしっとりとした感じをもたらし本サポータの装着感を向上させることができる。
天然皮革としては種々のものが採用できるが、一例を挙げれば、牛皮、豚皮、羊皮、山羊皮、鹿皮、犬皮、猫皮、魚皮、鳥皮等を挙げることができる。
【図面の簡単な説明】
【００１６】
【図１】本考案の一実施形態のサポータ（本サポータ）の正面図である。
【図２】図１のＡ−Ａ断面図である。
【図３】本サポータの分解図である。
【図４】本サポータが備えるベルト体の背面図である。
【図５】図３のＢ−Ｂ端面図である。
【図６】本サポータが装着される装着物を示す図である。
【図７】図６に示す装着物に本サポータを装着したところを示す図である。
【図８】図７のＣーＣ端面図である。
【図９】本サポータの別の装着物を示す図である。
【図１０】図９に示す装着物に本サポータを装着したところを示す図である。
【考案を実施するための形態】
【００１７】
本考案の実施の形態を図面を参照して詳述するが、本考案はこれに限定されるものではない。
【００１８】
図１は、本考案の一実施形態のサポータ（本サポータ）１１の正面図であり、図２は図１のＡ−Ａ断面図であり、図３は本サポータ１１の分解図であり、図４は本サポータ１１が備えるベルト体２１の背面図であり、そして図５は図３のＢ−Ｂ端面図である。図１乃至図５を参照して、本サポータ１１について説明する。
本サポータ１１は、大まかには、ベルト体２１とバックル部５１とを備えてなる。
【００１９】
ベルト体２１は、柔軟なシート状の材料（具体的には、ここでは天然牛皮を用いている。）により形成されたベルト本体部３１と、ベルト本体部３１の裏面３１ｂに取り付けられた面ファスナー部４１と、を有してなる。
ベルト本体部３１は、第１の半径ｒ１（ここではｒ１＝５０ｃｍ）の円弧に沿って形成された第１円弧縁部３３と、第１の半径ｒ１の該円弧を円周として含む円の中心を中心とした第２の半径ｒ２（ｒ２＞ｒ１。ここではｒ２＝５６ｃｍ）の円弧に沿って形成された第２円弧縁部３５と、第１円弧縁部３３の一端側と第２円弧縁部３５の一端側とを結ぶ一端側縁部３７（一端側縁部３７は、後述のバックル部５１のスリット５３ｂに挿入しやすくするために中心部３７ａが突出している。）と、第１円弧縁部３３の他端側と第２円弧縁部３５の他端側とを結ぶ他端側縁部３９（他端側縁部３９は、後述のバックル部５１のスリット５３ａに挿入しやすくするために中心部３９ａが突出している。）と、により規定される弓なり形状の柔軟なシート部材により構成されている。
【００２０】
面ファスナー部４１は、ファスナー基布４３と、ファスナー基布４３の一面に設けられたファスナー係合部４５と、を有してなり、全体としては柔軟な帯状をなす。ファスナー係合部４５は、ここでは雌雄一体の係合部とされており、ファスナー係合部４５がいずれの位置においても互いに押しつけられることで係合し固定されると共に、係合した互いのファスナー係合部４５は引き離すように力を加えることで係合を解くことができる。なお、ここでは図示を容易にするため、ファスナー係合部４５の図示は簡略化（ファスナー係合部４５が有する係合部分の具体的形状の図示を省略している）している。
面ファスナー部４１のファスナー基布４３が、ファスナー基布４３の他面がベルト本体部３１の裏面３１ｂに当接するように取り付けられる（ここでは図示しない糸によって縫い付けられているが、これに限定されるものではなく、例えば、接着、融着、ステープラー、スナップ嵌合等を用いてもよい。）ことで面ファスナー部４１はベルト本体部３１に取り付けられている。
【００２１】
バックル部５１は、ここでは合成樹脂により一体に形成されており、細長い一対のスリット５３ａ、５３ｂが互いに略平行に形成されている。
一対のスリット５３ａ、５３ｂは、そのうち一方（図１のようにスリット５３ｂ）にベルト体２１の一方側（図１のように一端側縁部３７側）が貫入されると共に、後述の如く、そのうち他方（スリット５３ａ）にベルト体２１の他方側（他端側縁部３９側）が貫入された状態において、面ファスナー部４１を係合させることで本サポータ１１が環状となり装着物（例えば手首や足首等）に確実に装着することができる。なお、ここでは一対のスリット５３ａ、５３ｂ（貫入穴）をバックル部５１が有しているが、ベルト体２１の一方側と他方側との両方を１の貫入穴に貫入することができれば該１の貫入穴のみを有するようにしてもよいし、３以上の貫入穴を有するようにしてもよい。
【００２２】
次いで、本サポータ１１の使用方法について説明する。
図６は、本サポータ１１の装着物１０１を示す図である。図６に示すように、左手１０３と左肘（不図示）との間の前腕１０５のうち手首１０７の近傍に装着物１０１は位置する。かかる装着物１０１は、手首１０７から左肘（不図示）に行くにつれて太くなっている。
図７は、図６に示す装着物１０１に本サポータ１１を装着したところを示す図であり、図８は図７のＣーＣ端面図である。図７及び図８を参照して、本サポータ１１の装着状態を説明する。装着作業は、まず、装着物１０１の外面（皮膚）にベルト本体部３１の表面３１ａが接するようにベルト体２１を装着物１０１に周回させる。このとき第１円弧縁部３３が装着物１０１のうち手首１０７に近い部分を周回し、第２円弧縁部３５が装着物１０１のうち手首１０７から遠い部分（肘に近い部分）を周回するようにする。そして、バックル部５１のスリット５３ｂにベルト体２１の一端側縁部３７側を貫入すると共に、バックル部５１のスリット５３ａにベルト体２１の他端側縁部３９側を貫入し、装着物１０１を所望程度締めることができるように、面ファスナー部４１の係合位置を調節して装着物１０１に周回するベルト体２１の長さを調節する（ファスナー係合部４５は雌雄一体の係合部とされているので、ファスナー係合部４５がいずれの位置においても互いに押しつけられることで互いに係合し固定される。）。これにより環状となった本サポータ１１が装着物１０１を締めた状態となる。
【００２３】
この装着状態においては、第１の半径ｒ１の第１円弧縁部３３が、装着物１０１のうち手首１０７に近い細い部分を周回すると共に、第２の半径ｒ２（ｒ２＞ｒ１）の第２円弧縁部３５が、装着物１０１のうち手首１０７から遠い太い部分を周回するので、無理なく本サポータ１１を装着物１０１に装着できる。そして、装着物１０１は（直）円錐台形状に似た形状を有するので、ｒ２及びｒ１を装着物１０１に適したものとすること（例えば、装着物１０１それぞれに応じたｒ１及びｒ２により別製作としたり、種々の装着物１０１に応じ様々なｒ１及びｒ２によって複数製作しておき、その中から個々の装着物１０１に応じて選択すること）によって、装着物１０１が形成する（直）円錐台形状の側面（即ち、装着物１０１の皮膚部分）に本サポータ１１のベルト本体部３１表面３１ａがうまく沿うことができ、本サポータ１１の装着感及び装着効果を向上させ、不意のズレを防止又は減少することができる。
また、装着物１０１の外面（皮膚）に、天然牛皮により形成されたベルト本体部３１表面３１ａが接するので、使用感を向上させることができる。
なお、ここでは左前腕に本サポータ１１を装着する例をとって説明したが、これと同様に右前腕に本サポータ１１を装着することもできる。
【００２４】
さらに、本サポータ１１の別の使用方法について説明する。
図９は、本サポータ１１の装着物１１１を示す図である。図９に示すように、右足１１３と右膝（不図示）との間の下腿１１５のうち足首１１７の近傍に装着物１１１は存する。かかる装着物１１１は、足首１１７から右膝（不図示）に行くにつれて太くなっている。
図１０は、図９に示す装着物１１１に本サポータ１１を装着したところを示す図である。図１０を参照して、本サポータ１１の装着状態を説明する。装着作業は、装着物１０１への装着と同様、まず、装着物１１１の外面（皮膚）にベルト本体部３１の表面３１ａが接するようにベルト体２１を装着物１１１に周回させる。このとき第１円弧縁部３３が装着物１１１のうち足首１１７に近い部分を周回し、第２円弧縁部３５が装着物１１１のうち足首１１７から遠い部分（膝に近い部分）を周回するようにする。そして、バックル部５１のスリット５３ｂにベルト体２１の一端側縁部３７側を貫入すると共に、バックル部５１のスリット５３ａにベルト体２１の他端側縁部３９側を貫入し、装着物１１１を所望程度締めることができるように、面ファスナー部４１の係合位置を調節して装着物１１１に周回するベルト体２１の長さを調節する（ファスナー係合部４５は雌雄一体の係合部とされているので、ファスナー係合部４５がいずれの位置においても互いに押しつけられることで互いに係合し固定される。）。これにより環状となった本サポータ１１が装着物１１１を締めた状態となる。
なお、装着物１１１に装着する本サポータ１１と、装着物１０１に装着する本サポータ１１と、は別のもの（例えば、装着物１１１と装着物１０１との寸法及び形状の違いに応じて別のものとする）としてもよいし、装着物１１１と装着物１０１とに同一の本サポータ１１を装着するようにしてもよい。
【００２５】
この装着状態においては、第１の半径ｒ１の第１円弧縁部３３が、装着物１１１のうち足首１１７に近い細い部分を周回すると共に、第２の半径ｒ２（ｒ２＞ｒ１）の第２円弧縁部３５が、装着物１１１のうち足首１１７から遠い太い部分を周回するので、無理なく本サポータ１１を装着物１１１に装着できる。そして、装着物１１１は（直）円錐台形状に似た形状を有するので、ｒ２及びｒ１を装着物１１１に適したものとすること（例えば、装着物１１１それぞれに応じたｒ１及びｒ２により別製作としたり、種々の装着物１１１に応じ様々なｒ１及びｒ２によって複数製作しておき、その中から個々の装着物１１１に応じて選択すること）によって、装着物１１１が形成する（直）円錐台形状の側面（即ち、装着物１１１の皮膚部分）に本サポータ１１のベルト本体部３１表面３１ａがうまく沿うことができ、本サポータ１１の装着感及び装着効果を向上させることができる。
また、装着物１１１の外面（皮膚）に、天然牛皮により形成されたベルト本体部３１表面３１ａが接するので、使用感を向上させることができる。
なお、ここでは右下腿に本サポータ１１を装着する例をとって説明したが、これと同様に左下腿に本サポータ１１を装着することもできる。
【００２６】
以上説明した通り、本サポータ１１は、一方（装着物１０１においては手首１０７側、装着物１１１においては足首１１７側）から他方（装着物１０１においては左肘側、装着物１１１においては右膝側）に向けて断面積が増加する装着物１０１、１１１に外嵌するサポータであって、一対の第１縁部（ここでは第１円弧縁部３３）及び第２縁部（ここでは第２円弧縁部３５）の間に形成される帯状のベルト部（ここではベルト本体部３１）と、ベルト部（ベルト本体部３１）の一端側（一端側縁部３７側）と他端側（他端側縁部３９側）とを連結する連結部（ここではバックル部５１と面ファスナー部４１とを含んで構成される。）と、を備え、連結部（バックル部５１と面ファスナー部４１）により該一端側（一端側縁部３７側）と該他端側（他端側縁部３９）とを連結したベルト部（ベルト本体部３１）の一主表面（表面３１ａ）が直円錐台の側面に沿うものである、サポータである。
【００２７】
本サポータ１１においては、連結部（バックル部５１と面ファスナー部４１）が、ベルト部（ベルト本体部３１）の一端側（一端側縁部３７側）に取り付けられベルト部（ベルト本体部３１）の他端側（他端側縁部３９）を貫入する他端側貫入穴（ここではスリット５３ａ）を有する貫通部材（ここではバックル部５１）と、他端側貫入穴（スリット５３ａ）に貫入されたベルト部（ベルト本体部３１）が他端側貫入穴（スリット５３ａ）から抜ける方向へ移動することを制限する他端側移動制限部（ここでは面ファスナー部４１）と、を有してなり、他端側移動制限部（面ファスナー部４１）が、他端側貫入穴（スリット５３ａ）に貫入されたベルト部（ベルト本体部３１）の他端側貫入穴（スリット５３ａ）を通過した他端側通過部分（スリット５３ａから突出した他端側（他端側縁部３９）を含む部分）と、他端側貫入穴（スリット５３ａ）に貫入されたベルト部（ベルト本体部３１）の他端側貫入穴（スリット５３ａ）を通過していない他端側未通過部分（他端側貫入穴（スリット５３ａ）よりも一端側縁部３７側の部分）と、を係脱可能に係止するものである。
【００２８】
本サポータ１１においては、他端側移動制限部（面ファスナー部４１）は、面ファスナーの互いに係合しうる一方係合部及び他方係合部のうち他端側通過部分（スリット５３ａから突出した他端（他端側縁部３９）を含む部分）に配設される一方係合部と、他端側未通過部分（他端側貫入穴（スリット５３ａ）よりも一端側縁部３７側の部分）に配設される他方係合部と、を含んでなる。
本サポータ１１においては、他端側移動制限部（面ファスナー部４１）を構成する前記面ファスナーは雌雄一体型の面ファスナーである。
【００２９】
本サポータ１１においては、ベルト部（ベルト本体部３１）の他端（他端側縁部３９）から一端（一端側縁部３７）に向かって所定範囲に存する第１縁部（第１円弧縁部３３）の部分である第１縁部他端部が第１円の円弧に沿っていると共に、ベルト部（ベルト本体部３１）の他端（他端側縁部３９）から一端（一端側縁部３７）に向かって所定範囲に存する第２縁部（第２円弧縁部３５）の部分である第２縁部他端部が、第１円と中心を共通にし第１円よりも大きな第２円の円弧に沿っているものである。
本サポータ１１においては、連結部（バックル部５１と面ファスナー部４１）が、ベルト部（ベルト本体部３１）の一端側（一端側縁部３７側）を貫入する一端側貫入穴（ここではスリット５３ｂ）を有する前記貫通部材（バックル部５１）と、一端側貫入穴（スリット５３ｂ）に貫入されたベルト部（ベルト本体部３１）が一端側貫入穴（スリット５３ｂ）から抜ける方向へ移動することを制限する一端側移動制限部（ここでは面ファスナー部４１）と、を有してなり、一端側移動制限部（面ファスナー部４１）が、一端側貫入穴（スリット５３ｂ）に貫入されたベルト部（ベルト本体部３１）の一端側貫入穴（スリット５３ｂ）を通過した一端側通過部分（スリット５３ｂから突出した一端（一端側縁部３７）を含む部分）と、一端側貫入穴（スリット５３ｂ）に貫入されたベルト部（ベルト本体部３１）の一端側貫入穴（スリット５３ｂ）を通過していない一端側未通過部分（一端側貫入穴（スリット５３ｂ）よりも他端側縁部３９側の部分）と、を係脱可能に係止するものである。
【００３０】
本サポータ１１においては、一端側移動制限部（面ファスナー部４１）が、面ファスナーの互いに係合しうる一方係合部及び他方係合部のうち一端側通過部分（スリット５３ｂから突出した一端（一端側縁部３７）を含む部分）に配設される一方係合部と、一端側未通過部分（一端側貫入穴（スリット５３ｂ）よりも他端側縁部３９側の部分）に配設される他方係合部と、を含んでなる。
本サポータ１１においては、一端側移動制限部（面ファスナー部４１）を構成する前記面ファスナーは雌雄一体型の面ファスナーである。
【００３１】
本サポータ１１においては、ベルト部（ベルト本体部３１）の一端（一端側縁部３７）から他端（他端側縁部３９）に向かって所定範囲に存する第１縁部（第１円弧縁部３３）の部分である第１縁部一端部が前記第１円の円弧に沿っており、ベルト部（ベルト本体部３１）の一端（一端側縁部３７）から他端（他端側縁部３９）に向かって所定範囲に存する第２縁部（第２円弧縁部３５）の部分である第２縁部一端部が前記第２円の円弧に沿っているものである。
本サポータ１１においては、第１縁部（第１円弧縁部３３）全体が第１円の円弧に沿っていると共に、第２縁部（第２円弧縁部３５）全体が、第１円と中心を共通にし第１円よりも大きな第２円の円弧に沿っているものである。
本サポータ１１においては、ベルト部（ベルト本体部３１）のうち少なくとも装着物１０１、１１１に面する部分（ここでは表面３１ａ）が天然皮革（ここでは天然牛皮）により形成されているものである。
【符号の説明】
【００３２】
１１            本サポータ
２１            ベルト体
３１            ベルト本体部
３１ａ          表面
３１ｂ          裏面
３３            第１円弧縁部
３５            第２円弧縁部
３７            一端側縁部
３７ａ          中心部
３９            他端側縁部
３９ａ          中心部
４１            面ファスナー部
４３            ファスナー基布
４５            ファスナー係合部
５１            バックル部
５３ａ、５３ｂ  スリット
１０１            装着物
１０３            左手
１０５            前腕
１０７            手首
１１１            装着物
１１３            右足
１１５            下腿
１１７            足首
【図１】
0003204043.tif 000003
【図２】
0003204043.tif 000004
【図３】
0003204043.tif 000005
【図４】
0003204043.tif 000006
【図５】
0003204043.tif 000007
【図６】
0003204043.tif 000008
【図７】
0003204043.tif 000009
【図８】
0003204043.tif 000010
【図９】
0003204043.tif 000011
【図１０】
0003204043.tif 000012